(57)【要約】      （修正有）【課題】誰でも簡単に使用でき、一方の肩のみに負担がかかることがなく、愛玩動物の咄嗟の飛び出しを防ぐことができる携行バッグを提供する。【解決手段】上面が開口したバッグ本体、前記バッグ本体に一端が固定された前記上面を覆うカバー、前記バッグ本体内に設けた前記カバーを収納する内ポケットよりなるバッグ部と、前記バッグ本体に取り付けた左右腰ベルトと、前記バッグ部に取り付けた肩に掛ける肩ベルトと、からなることを特徴とする。【選択図】図６
0003151912.tif 000002
【実用新案登録請求の範囲】
【請求項１】
上面が開口したバッグ本体及び前記バッグ本体に一端が固定された前記上面を覆うカバー、前記バッグ本体内に設けた前記カバーを収納する内ポケットよりなるバッグ部と、前記バッグ本体に取り付けた左右腰ベルトと、前記バッグ部に取り付けた肩に掛ける肩ベルトとからなることを特徴とする携行バッグ。
【請求項２】
前記左右腰ベルトの一方の先端にバックルを取付け、他方に取付位置調節可能に前記バックルに着脱可能な連結具を備え、前記左右腰ベルトを腰回りに環状に連結することを特徴とする請求項１に記載の携行バッグ。
【請求項３】
前記バッグ本体を外面上部の周囲に複数のボタンを取り付けたバッグ本体とし、前記カバーを複数のボタンホールを形成したカバーとし、前記ボタンホールを前記ボタンに留め、
前記カバーを前記ボタンを介してバッグ本体に固定可能としたことを特徴とする請求項１又は請求項２に記載の携行バッグ。
【請求項４】
前記バッグ本体を前記バッグ本体左右上部に取り付けた連結ベルト及び前記連結ベルトの両方に留められた２個一組の左右固定リングとを備えるバッグ本体とし、前記肩ベルトを一端が左腰ベルトに固着し他端部が前記一方の固定リングに長さ調節可能に連結する左肩ベルト及び一端が右腰ベルトに固着し他端部を前記他方の固定リングに長さ調節可能に連結する右肩ベルトとからなる肩ベルトとし、前記左右肩ベルを背中側から肩を通り腹部側でスリング様に連結することを特徴とする請求項１乃至請求項３のいずれか１項に記載の携行バッグ。
【請求項５】
前記バッグ本体を前記バッグ本体の左右上端のいずれか一方に取り付けた連結ベルト及び前記連結ベルトに留められた２個一組の固定リングとを備えるバッグ本体とし、前記肩ベルトを一端が前記バッグ本体の前記固定リングとは反対側の上端に固着し、他端部が前記固定リングに長さ調節可能に連結した肩ベルトとし、前記肩ベルトを首後部を通り肩に掛けることを特徴とする請求項１乃至請求項３のいずれか１項に記載の携行バッグ。
【請求項６】
前記肩ベルトを両端を前記バッグ本体の左右上端に固着させた肩ベルトとし、前記肩ベルトを首後部を通り肩に掛けることを特徴とする請求項１乃至請求項３のいずれか１項に記載の携行バッグ。
【請求項７】
前記固定リングの何れか一方に、多目的ベルトを取り付けたことを特徴とする請求項１乃至請求項６の何れか１項に記載の携行バッグ。
【請求項８】
前記多目的ベルトの両端部に面ファスナーを設け、前記多目的ベルトを環状にすることを特徴とする請求項７に記載の携行バッグ。
【請求項９】
前記カバーを前記上面の略中央まで覆う左右のカバーとし、前記内ポケットを前記バッグ本体の内部に前記左右のカバーをそれぞれ収納する左右の内ポケットとしたことを特徴とする請求項１乃至請求項８の何れか１項に記載の携行バッグ。
【請求項１０】
前記左右のカバーが前記バッグ本体上面中央部で同一のボタンを共有し、前記バッグ本体に固定されることを特徴とする請求項９に記載の携行バッグ。
【請求項１１】
前記カバーの内側をネットとしたことを特徴とする請求項１乃至請求項１０の何れか１項に記載の携行バッグ。
【請求項１２】
前記バッグ本体外面に収納バッグを備え、前記バッグ部、左右腰ベルト、肩ベルトを折り畳んだ状態で前記収納バッグを反転させることにより、前記収納バッグ内にバッグ部、左右ベルト、肩ベルトを小さくまとめて収納可能としたことを特徴とする請求項１乃至請求項１１のいずれか１項に記載の携行バッグ。
【考案の詳細な説明】
【技術分野】
【０００１】
本考案は、乳幼児や犬、猫等の愛玩小動物物を安全に居心地良く抱くことができ、使用者にとっても負担の少ない携行バッグに関する。
【背景技術】
【０００２】
従来、乳幼児や愛玩動物を携行するには１枚の幅広の布からなるスリングを使用していた。
【０００３】
しかしながら、従来のスリングは１枚の幅広の布の一端をまとめて他端に取り付けたリングに係止させ乳幼児や愛玩動物をハンモック式に携行するものであり、取扱に慣れるまで上手く使用することができず、また使用できたとしても一方の肩にのみ負担がかかる構造であるため長時間の使用には向かなかった。
【０００４】
また、従来のスリングでは、犬などの小動物を携行した場合に、容易に愛玩動物が飛び出してしまい、安心して携行することができなかった。
【０００５】
更に、上記のようにハンモック式であるため、ちょっとした小物であるペットの餌や乳幼児用の哺乳瓶等を一緒に持ち歩くためには、別途バッグ等を持たなければならず、利便性に欠ける所があった。
【先行技術文献】
【特許文献】
【０００６】
【特許文献１】特願平７−３００４０２号公報
【特許文献２】実願２００６−３７８６号公報
【考案の概要】
【考案が解決しようとする課題】
【０００７】
そこで、本考案は、誰でも簡単に使用でき、一方の肩のみに負担がかかることがなく、愛玩動物の咄嗟の飛び出しを防ぐことができ、必要最小限の小間物も一緒に携帯することができる携行バッグを提供することを目的とするものである。
【課題を解決するための手段】
【０００８】
本考案は、上記の課題を解決するために、上面が開口したバッグ本体、前記バッグ本体に一端が固定された前記上面を覆うカバー、前記バッグ本体内に設けた前記カバーを収納する内ポケットよりなるバッグ部と、前記バッグ本体に取り付けた左右腰ベルトと、前記バッグ部に取り付けた肩に掛ける肩ベルトと、からなることを特徴とする携行バッグ、前記左右腰ベルトの一方の先端にバックルを取付け、他方に取付位置調節可能に前記バックルに着脱可能な連結具を備え、前記左右腰ベルトを腰回りに環状に連結することを特徴とする携行バッグ、前記バッグ本体を外面上部の周囲に複数のボタンを取り付けたバッグ本体とし、前記カバーを複数のボタンホールを形成したカバーとし、前記ボタンホールを前記ボタンに留め、前記カバーを前記ボタンを介してバッグ本体に固定可能としたことを特徴とする携行バッグ、前記バッグ本体を、前記バッグ本体左右上部に取り付けた連結ベルトと、前記連結ベルトの両方に留められた２個一組の左右固定リングとを備えるバッグ本体とし、前記肩ベルトを、一端が左腰ベルトに固着し、他端部が前記一方の固定リングに長さ調節可能に連結する左肩ベルトと、一端が右腰ベルトに固着し、他端部を前記他方の固定リングに長さ調節可能に連結する右肩ベルトと、からなる肩ベルトとし、前記左右肩ベルを背中側から肩を通り腹部側でスリング様に連結することを特徴とする携行バッグ、前記バッグ本体を、前記バッグ本体の左右上端のいずれか一方に取り付けた連結ベルトと、前記連結ベルトに留められた２個一組の固定リングとを、備えるバッグ本体とし、前記肩ベルトを、一端が前記バッグ本体の前記固定リングとは反対側の上端に固着し、他端部が前記固定リングに長さ調節可能に連結した肩ベルトとし、前記肩ベルトを首後部を通り肩に掛けることを特徴とする携行バッグ、前記肩ベルトを、両端を前記バッグ本体の左右上端に固着させた肩ベルトとし、前記肩ベルトを首後部を通り肩に掛けることを特徴とする携行バッグ、前記固定リングの何れか一方に、多目的ベルトを取り付けたことを特徴とする携行バッグと、前記多目的ベルトの両端部に、面ファスナーを設け、前記多目的ベルトを環状にすることを特徴とする携行バッグ、前記カバーを、前記上面の略中央まで覆う左右のカバーとし、前記内ポケットを、前記バッグ本体の内部に前記左右のカバーをそれぞれ収納する左右の内ポケットとしたことを特徴とする携行バッグ、前記左右のカバーが、前記バッグ本体上面中央部で、同一のボタンを共有し、前記バッグ本体に固定されることを特徴とする携行バッグ、前記カバーの内側を、ネットとしたことを特徴とする携行バッグ及び前記バッグ本体外面に、収納バッグを備え、前記バッグ部、左右腰ベルト、肩ベルトを折り畳んだ状態で、前記収納バッグを反転させることにより、前記収納バッグ内にバッグ部、左右ベルト、肩ベルトを小さくまとめて収納可能としたことを特徴とする携行バッグの構成とした。
【考案の効果】
【０００９】
本考案である携行バッグは、バッグ本体と肩ベルトが分けられているため、従来のようなハンモックを作ることなく簡単に使用することができる。
【００１０】
また、両肩を肩ベルトを掛けて使用するため、一方の肩のみに負担がかかることがなく、長時間使用しても疲れ難い。
【００１１】
また、取り外し可能なカバーを備えているため、愛玩動物の急な飛び出しを未然に防ぐことができ、人の多い場所でも安心して使用することができる。
【００１２】
また、多目的ベルトを備えており、この多目的ベルトをペットの首輪等と繋げることで更に愛玩動物の急な飛び出しを防ぐことができる。
【００１３】
また、複数のポケットが取り付けられているため、ペットの餌や乳幼児の哺乳瓶など、ちょっとした小間物を携帯することができ、無駄にバッグを使用する必要がない。
【００１４】
更に、使用しない場合は小さく折り畳んでまとめることができるため、邪魔にならずに持ち歩くことができ、使用したい時に簡単に素早く使用することができる。
【図面の簡単な説明】
【００１５】
【図１】本考案である携行バッグの背面図である。
【図２】本考案である携行バッグのネットを使用した状態を示した背面図である。
【図３】本考案である携行バッグのネットを使用した状態を示した平面図である。
【図４】本考案である携行バッグの折り畳み順を示した図である。
【図５】本考案である携行バッグを使用した状態を示した図である。
【図６】本考案である携行バッグの第２実施例を示した背面図である。
【図７】本考案である携行バッグの第３実施例を示した背面図である。
【図８】本考案である携行バッグの第４実施例を示した背面図である。
【考案を実施するための形態】
【００１６】
以下に、添付図面に基づいて、本考案である携行バッグについて詳細に説明する。先ず、図１から図５を使用して本考案である携行バッグの第１実施例を説明することとする。
【実施例１】
【００１７】
図１は本考案である携行バッグの背面図、図２は携行バッグのネットを使用した状態を示した背面図、図３は携行バッグのネットを使用した状態を示した平面図、図４は携行バッグの折り畳み順を示した図、図５は携行バッグを使用した状態を示した図である。
【００１８】
図１から図３に示すように、本考案である携行バッグ１は、上面が開口したバッグ本体２ｔ、前記バッグ本体２ｔに一端が固定された前記上面を覆うカバー２ｇ、２ｇ、前記バッグ本体２ｔ内に設けた前記カバー２ｇを収納する内ポケット２ｆ、２ｆよりなるバッグ部２と、前記バッグ本体２ｔに取り付けた左右腰ベルト３ｂ、４ｂと、前記バッグ部２に取り付けた肩に掛ける肩ベルト３ａ、４ａとからなる。
【００１９】
前記左右腰ベルト３ｂ、４ｂのうち、一方の腰ベルトの先端にはバックル３ｃが取り付けられており、他方のベルトには取付位置調節可能に前記バックル３ｃに着脱可能な連結具４ｃが取り付けられ、前記左右腰ベルト３ｂ、４ｂを腰回りに環状に連結することができる。
【００２０】
前記バッグ本体２ｔの外面上部の周囲には複数のボタン２ｋ〜２ｐが取り付けられており、また、前記カバー２ｇには複数のボタンホール２ｈが形成されている。前記ボタンホール２ｈに前記ボタン２ｋ〜２ｐを留めて前記カバー２ｇを前記ボタン２ｋ〜２ｐを介してバッグ本体２ｔに固定することができる。即ち、バッグ本体２ｔの上面をカバー２ｇで覆うことができる。
【００２１】
また、前記バッグ本体２ｔの左右上部には連結ベルト２ｄを介して２個一組の左右固定リング２ｅ、２ｅが取り付けられており、左右固定リング２ｅ、２ｅの内、一方の固定リング２ｅには面ファスナー２ｒ、２ｓを備えた多目的ベルト２ｑが取り付けられている。
【００２２】
前記多目的ベルト２ｑは面ファスナー２ｒ、２ｓを使用して環状にすることができ、本考案の携行バッグ１を使用してペットを携行する場合は、前記多目的ベルト２ｑを首輪に連結してペットの急な飛び出しを防ぐことができ、更に携行バッグ１を小さく折り畳んだ場合には広がらないように留めるベルトとして使用することができる。
【００２３】
前記肩ベルトのうち、左肩ベルト３ａは一端が左腰ベルト３ｂに垂直に固着され、他端部が前記一方の固定リング２ｅに長さ調節可能に連結することができ、一方右肩ベルト４ａは一端が右腰ベルト４ｂに垂直に固着され、他端部が前記他方の固定リング２ｅに長さ調節可能に連結することができる。尚、左肩ベルト３ａと左腰ベルト３ｂを併せて左ベルト部３とし、右肩ベルト４ａと右腰ベルト４ｂを併せて右ベルト部４とした。
【００２４】
例えば、左肩ベルト３ａを左固定リング２ｅに連結し、右肩ベルト４ａを右固定リング２ｅに連結した場合、左肩に左肩ベルト３ａ、右肩に右肩ベルト４ａを掛けて両肩で使用することとなり、左肩ベルト３ａを右固定リング２ｅに連結し、右肩ベルト４ａを左固定リング２ｅに連結した場合、左右肩ベルト３ａ、４ａが交差するため左右の肩及び背中で使用することとなる。
【００２５】
図１から図３に示すように、前記カバー２ｇはバッグ本体２ｔの上面の略中央までを覆う左右のカバーとなっており、各カバー２ｇを使用しない場合は、折り畳んだり、丸めたりする方法で小さくしてバッグ本体２ｔの内部左右に設けた内ポケット２ｆに収納することができる。
【００２６】
また、前記カバー２ｇは内側がネット２ｉとなっており、愛玩動物や乳幼児等をバッグ本体２ｔに入れて携行する際にバッグ本体２ｔの上面をカバー２ｇで覆ってもバッグ本体２ｔ内を見ることができ、愛玩動物や乳幼児の様子を確認することができる。また、窒息防止の効果もある。
【００２７】
更に、前記カバー２ｇはバッグ本体２ｔの上面中央部で同一のボタン２ｌ、２ｏを共有して固定されるため、カバー２ｇ、２ｇの合わせ目が重なり、愛玩動物の急な飛び出し防止が強化されている。
【００２８】
図１から図４に示すように、前記バッグ本体２ｔの外面には収納バッグ２ｊが取り付けられており、前記バッグ部２、左右腰ベルト３ｂ、４ｂ、肩ベルト３ａ、４ａ等を折り畳んだ状態で、前記収納バッグ２ｊを反転させることにより、前記収納バッグ２ｊ内にバッグ部２、左右腰ベルト３ｂ、４ｂ、肩ベルト３ａ、４ａ等を小さくまとめて収納することができる。
【００２９】
図５に示すように、以上のような構成からなる本考案を使用して犬９を携行する場合、左肩ベルト３ａを利用者８の左肩に掛け、右肩ベルト４ａを右肩に掛けてバッグ本体２ｔが使用者の腹部にくるようにし、バッグ本体２ｔに犬９を入れて、更に首輪９ａと多目的ベルト２ｑを連結する。また、左右腰ベルト３ｂ、４ｂを利用者８の腰８ｂに回して、背中側で留めて安定させる。
【００３０】
以上のように携行することにより、従来と異なって片方だけの肩に負担がかかることがなく、長時間使用しても疲れない。また、お店等に入る場合には、前述のネット２ｇを使用してバッグ本体２ｔの上面を覆い、犬９が飛び出さないようにする。
【実施例２】
【００３１】
次に図を使用して、本考案である携行バッグの第２実施例を説明することとする。図６は本考案である携行バッグの第２実施例を示した背面図である。
【００３２】
図６に示すように、本考案である携行バッグ１ａは、前記実施例１の携行バッグ１とほぼ同じ構造をしている。即ち、上面が開口したバッグ本体２ｔ、前記バッグ本体２ｔに一端が固定された前記上面を覆うカバー２ｇ、２ｇ、前記バッグ本体２ｔ内に設けた前記カバー２ｇを収納する内ポケット２ｆ、２ｆよりなり、正面５ａ及び背面５ｂにギャザー５ｅを形成したバッグ部５と、前記バッグ本体２ｔに取り付けた左右腰ベルト３ｂ、４ｂと、前記バッグ部５に取り付けた肩に掛ける肩ベルト３ａ、４ａとからなる。
【００３３】
前記左右腰ベルト３ｂ、４ｂのうち、一方の腰ベルトの先端にはバックル３ｃが取り付けられており、他方のベルトには取付位置調節可能に前記バックル３ｃに着脱可能な連結具４ｃが取り付けられ、前記左右腰ベルト３ｂ、４ｂを腰回りに環状に連結することができる。
【００３４】
前記バッグ本体２ｔの外面上部の周囲には複数のボタン２ｋ〜２ｐが取り付けられており、また、前記カバー２ｇには複数のボタンホール２ｈが形成されている。前記ボタンホール２ｈに前記ボタン２ｋ〜２ｐを留めて前記カバー２ｇを前記ボタン２ｋ〜２ｐを介してバッグ本体２ｔに固定することができる。即ち、バッグ本体２ｔの上面をカバー２ｇで覆うことができる。
【００３５】
また、前記バッグ本体２ｔの左右上部には連結ベルト２ｄを介して２個一組の左右固定リング２ｅ、２ｅが取り付けられており、左右固定リング２ｅ、２ｅの内、一方の固定リング２ｅには面ファスナー２ｒ、２ｓを備えた多目的ベルト２ｑが取り付けられている。
【００３６】
前記多目的ベルト２ｑは面ファスナー２ｒ、２ｓを使用して環状にすることができ、本考案の携行バッグ１ａを使用してペットを携行する場合は、前記多目的ベルト２ｑを首輪に連結してペットの急な飛び出しを防ぐことができ、更に携行バッグ１ａを小さく折り畳んだ場合には広がらないように留めるベルトとして使用することができる。
【００３７】
前記肩ベルトのうち、左肩ベルト３ａは一端が左腰ベルト３ｂに垂直に固着され、他端部が前記一方の固定リング２ｅに長さ調節可能に連結することができ、一方右肩ベルト４ａは一端が右腰ベルト４ｂに垂直に固着され、他端部が前記他方の固定リング２ｅに長さ調節可能に連結することができる。尚、左肩ベルト３ａと左腰ベルト３ｂを併せて左ベルト部３とし、右肩ベルト４ａと右腰ベルト４ｂを併せて右ベルト部４とした。
【００３８】
例えば、左肩ベルト３ａを左固定リング２ｅに連結し、右肩ベルト４ａを右固定リング２ｅに連結した場合、左肩に左肩ベルト３ａ、右肩に右肩ベルト４ａを掛けて両肩で使用することとなり、左肩ベルト３ａを右固定リング２ｅに連結し、右肩ベルト４ａを左固定リング２ｅに連結した場合、左右肩ベルト３ａ、４ａが交差するため左右の肩及び背中で使用することとなる。
【００３９】
前記カバー２ｇはバッグ本体２ｔの上面の略中央までを覆う左右のカバーとなっており、各カバー２ｇを使用しない場合は、折り畳んだり、丸めたりする方法で小さくしてバッグ本体２ｔの内部左右に設けた内ポケット２ｆに収納することができる。
【００４０】
また、前記カバー２ｇは内側がネット２ｉとなっており、愛玩動物や乳幼児等をバッグ本体２ｔに入れて携行する際にバッグ本体２ｔの上面をカバー２ｇで覆ってもバッグ本体２ｔ内を見ることができ、愛玩動物や乳幼児の様子を確認することができる。また、窒息防止の効果もある。
【００４１】
更に、前記カバー２ｇはバッグ本体２ｔの上面中央部で同一のボタン２ｌ、２ｏを共有して固定されるため、カバー２ｇ、２ｇの合わせ目が重なり、愛玩動物の急な飛び出し防止が強化されている。
【００４２】
図６に示すように、前記バッグ本体２ｔの外面には収納バッグ２ｊが取り付けられており、前記バッグ部５、左右腰ベルト３ｂ、４ｂ、肩ベルト３ａ、４ａ等を折り畳んだ状態で、前記収納バッグ２ｊを反転させることにより、前記収納バッグ２ｊ内にバッグ部５、左右腰ベルト３ｂ、４ｂ、肩ベルト３ａ、４ａ等を小さくまとめて収納することができる。
【００４３】
以上のように、携行バッグ１ａでは、バッグ部５を形成するバッグ本体２ｔの形状が異なる。即ち、バッグ部５のバッグ本体２ｔは上面が開口した横長の袋状をしており、正面５ａから底面５ｃを通って背面５ｂにかけて中央布５ｄが縫合されている。
【００４４】
中央布５ｄと正面５ａ及び背面５ｂを縫合する際に正面５ａ及び背面５ｂに複数のギャザー５ｅが形成されるように縫合されており、このギャザー５ｅを設けることで、バッグ本体２ｔに収納される愛玩動物や乳幼児がバッグ本体２ｔに圧迫されることを防止できる。
【実施例３】
【００４５】
次に図７を使用して、本考案である携行バッグの第３実施例を説明することとする。図７は本考案である携行バッグの第３実施例を示した背面図である。
【００４６】
図７に示すように、本考案である携行バッグ１ｂは、上面が開口したバッグ本体２ｔ、前記バッグ本体２ｔの左右上端のいずれか一方に取り付けた連結ベルト６ｇと、前記連結ベルト６ｇに留められた２個一組の固定リング２ｅと、前記バッグ本体２ｔに一端が固定された前記上面を覆うカバー２ｇ、２ｇ、前記バッグ本体２ｔ内に設けた前記カバー２ｇを収納する内ポケット２ｆ、２ｆよりなるバッグ部６と、前記バッグ本体２ｔの固定リング２ｅとは反対側の上端に固着され、他端部が前記固定リング２ｅに長さ調節可能に連結した肩ベルト６ｄと、前記バッグ本体２ｔに取り付けた左右腰ベルト６ｅ、６ｆとからなる。
【００４７】
前記左右腰ベルト６ｅ、６ｆのうち、一方の腰ベルトの先端にはバックル３ｃが取り付けられており、他方のベルトには取付位置調節可能に前記バックル３ｃに着脱可能な連結具４ｃが取り付けられ、前記左右腰ベルト６ｅ、６ｆを腰回りに環状に連結することができる。
【００４８】
前記バッグ本体２ｔの外面上部の周囲には複数のボタン２ｋ〜２ｐが取り付けられており、また、前記カバー２ｇには複数のボタンホール２ｈが形成されている。前記ボタンホール２ｈに前記ボタン２ｋ〜２ｐを留めて前記カバー２ｇを前記ボタン２ｋ〜２ｐを介してバッグ本体２ｔに固定することができる。即ち、バッグ本体２ｔの上面をカバー２ｇで覆うことができる。
【００４９】
前記固定リング２ｅには面ファスナー２ｒ、２ｓを備えた多目的ベルト２ｑが取り付けられている。前記多目的ベルト２ｑは面ファスナー２ｒ、２ｓを使用して環状にすることができ、本考案の携行バッグ１ｂを使用してペットを携行する場合は、前記多目的ベルト２ｑを首輪に連結してペットの急な飛び出しを防ぐことができ、更に携行バッグ１ｂを小さく折り畳んだ場合には広がらないように留めるベルトとして使用することができる。
【００５０】
実施例３の携行バッグ１ｂでは、肩ベルト６ｄが一本であるため、肩ベルト６ｄを首の後部に通して一端を脇の下へ通し、他端を肩に掛けた状態で使用する。
【００５１】
前記カバー２ｇはバッグ本体２ｔの上面の略中央までを覆う左右のカバーとなっており、各カバー２ｇを使用しない場合は、折り畳んだり、丸めたりする方法で小さくしてバッグ本体２ｔの内部左右に設けた内ポケット２ｆに収納することができる。
【００５２】
また、前記カバー２ｇは内側がネット２ｉとなっており、愛玩動物や乳幼児等をバッグ本体２ｔに入れて携行する際にバッグ本体２ｔの上面をカバー２ｇで覆ってもバッグ本体２ｔ内を見ることができ、愛玩動物や乳幼児の様子を確認することができる。また、窒息防止の効果もある。
【００５３】
更に、前記カバー２ｇはバッグ本体２ｔの上面中央部で同一のボタン２ｌ、２ｏを共有して固定されるため、カバー２ｇ、２ｇの合わせ目が重なり、愛玩動物の急な飛び出し防止が強化されている。
【００５４】
図７に示すように、前記バッグ本体２ｔの外面には収納バッグ２ｊが取り付けられており、前記バッグ部６、左右腰ベルト３ｂ、４ｂ、肩ベルト６ｄ等を折り畳んだ状態で、前記収納バッグ２ｊを反転させることにより、前記収納バッグ２ｊ内にバッグ部６、左右腰ベルト３ｂ、４ｂ、肩ベルト６ｄ等を小さくまとめて収納することができる。
【実施例４】
【００５５】
次に図８を使用して、本考案である携行バッグの第４実施例を説明することとする。図８は本考案である携行バッグの第４実施例を示した背面図である。
【００５６】
図８に示すように、本考案である携行バッグ１ｃは、上面が開口したバッグ本体２ｔ、前記バッグ本体２ｔの左右上端に固着させた肩ベルト７ｄと、前記バッグ本体２ｔに一端が固定された前記上面を覆うカバー２ｇ、２ｇ、前記バッグ本体２ｔ内に設けた前記カバー２ｇを収納する内ポケット２ｆ、２ｆよりなるバッグ部７と、前記バッグ本体２ｔに取り付けた左右腰ベルト６ｅ、６ｆとからなる。
【００５７】
前記左右腰ベルト６ｅ、６ｆのうち、一方の腰ベルトの先端にはバックル３ｃが取り付けられており、他方のベルトには取付位置調節可能に前記バックル３ｃに着脱可能な連結具４ｃが取り付けられ、前記左右腰ベルト６ｅ、６ｆを腰回りに環状に連結することができる。
【００５８】
前記バッグ本体２ｔの外面上部の周囲には複数のボタン２ｋ〜２ｐが取り付けられており、また、前記カバー２ｇには複数のボタンホール２ｈが形成されている。前記ボタンホール２ｈに前記ボタン２ｋ〜２ｐを留めて前記カバー２ｇを前記ボタン２ｋ〜２ｐを介してバッグ本体２ｔに固定することができる。即ち、バッグ本体２ｔの上面をカバー２ｇで覆うことができる。
【００５９】
前記肩ベルト７ｄには面ファスナー２ｒ、２ｓを備えた多目的ベルト２ｑが取り付けられている。前記多目的ベルト２ｑは面ファスナー２ｒ、２ｓを使用して環状にすることができ、本考案の携行バッグ１ｃを使用してペットを携行する場合は、前記多目的ベルト２ｑを首輪に連結してペットの急な飛び出しを防ぐことができ、更に携行バッグ１ｃを小さく折り畳んだ場合には広がらないように留めるベルトとして使用することができる。
【００６０】
実施例４の携行バッグ１ｃでは、肩ベルト７ｄが一本であるため、肩ベルト７ｄを首の後部に通して一端を脇の下へ通し、他端を肩に掛けた状態で使用する。
【００６１】
前記カバー２ｇはバッグ本体２ｔの上面の略中央までを覆う左右のカバーとなっており、各カバー２ｇを使用しない場合は、折り畳んだり、丸めたりする方法で小さくしてバッグ本体２ｔの内部左右に設けた内ポケット２ｆに収納することができる。
【００６２】
また、前記カバー２ｇは内側がネット２ｉとなっており、愛玩動物や乳幼児等をバッグ本体２ｔに入れて携行する際にバッグ本体２ｔの上面をカバー２ｇで覆ってもバッグ本体２ｔ内を見ることができ、愛玩動物や乳幼児の様子を確認することができる。また、窒息防止の効果もある。
【００６３】
更に、前記カバー２ｇはバッグ本体２ｔの上面中央部で同一のボタン２ｌ、２ｏを共有して固定されるため、カバー２ｇ、２ｇの合わせ目が重なり、愛玩動物の急な飛び出し防止が強化されている。
【００６４】
図８に示すように、前記バッグ本体２ｔの外面には収納バッグ２ｊが取り付けられており、前記バッグ部７、左右腰ベルト６ｅ、６ｆ、肩ベルト７ｄ等を折り畳んだ状態で、前記収納バッグ２ｊを反転させることにより、前記収納バッグ２ｊ内にバッグ部７、左右腰ベルト６ｅ、６ｆ、肩ベルト７ｄ等を小さくまとめて収納することができる。
【産業上の利用可能性】
【００６５】
本考案である携行バッグは、両肩及び腰を使用して体全体で携行する愛玩動物や乳幼児を抱えるため長時間使用しても疲れにくく、また愛玩動物の急な飛び出しを防ぐことができるため人の多い場所にも安心して連れて行くことができ、また、ちょっとしたペットフードや哺乳瓶などの小間物も携帯することができ、更に使用しない場合は小さくまとめることができて邪魔にならないため、愛玩動物や乳幼児のいる家庭において有効である。
【符号の説明】
【００６６】
１          携行バッグ
２          バッグ部
２ａ        正面
２ｂ        背面
２ｃ        底面
２ｄ        連結ベルト
２ｅ        固定リング
２ｆ        内バッグ
２ｇ        カバー
２ｈ        ボタンホール
２ｉ        ネット
２ｊ        収納バッグ
２ｋ〜２ｐ  ボタン
２ｑ        多目的ベルト
２ｒ        面ファスナー
２ｓ        面ファスナー
２ｔ        バッグ本体
３          左ベルト部
３ａ        左肩ベルト
３ｂ        左腰ベルト
３ｃ        バックル
４          右ベルト部
４ａ        右肩ベルト
４ｂ        右腰ベルト
４ｃ        連結具
５          バッグ部
５ａ        正面
５ｂ        背面
５ｃ        底面
５ｄ        中央布
５ｅ        ギャザー
６          バッグ部
６ａ        正面
６ｂ        背面
６ｃ        底面
６ｄ        肩ベルト
６ｅ        左腰ベルト
６ｆ        右腰ベルト
６ｇ        連結ベルト
７          バッグ部
７ａ        正面
７ｂ        背面
７ｃ        底面
７ｄ        肩ベルト
８          利用者
８ａ        肩
８ｂ        腰
９          犬
９ａ        首輪
【図１】
0003151912.tif 000003
【図２】
0003151912.tif 000004
【図３】
0003151912.tif 000005
【図４】
0003151912.tif 000006
【図５】
0003151912.tif 000007
【図６】
0003151912.tif 000008
【図７】
0003151912.tif 000009
【図８】
0003151912.tif 000010